(57)【要約】      （修正有）【課題】表面をモルタル層にて被覆したコンクリートブロックであって、表面に気泡が原因となる凹部を発生することなく、またブロック表面に苔や藻類の繁殖を可能とするコンクリートブロックの提供。【解決手段】モルタル層１１を構成するモルタル材６は型枠の内面に塗布又は吹付けて形成され、該型枠に流し込んだ生コンクリート９に上記モルタル層１１を転写したものであり、上記モルタル材６の基本成分はセメントが１、砂が２〜３、モルタル用接着材を混入した水が０．５〜２、ゼオライトなどの吸着材が０〜０．５の割合とし、この基本成分の他に顔料を０〜１、植物活性材を０〜２、空気連行剤を１〜２の割合で持って、これら何れかの成分を混練している。【選択図】図３
0003122368.tif 000002
【実用新案登録請求の範囲】
【請求項１】
表面をモルタル層にて被覆したコンクリート構造物において、モルタル層を構成するモルタル材は型枠の内面に塗布又は吹付けて形成され、該型枠に流し込んだ生コンクリートに上記モルタル層を転写したものであり、上記モルタル材の基本成分はセメントが１、砂が２〜３、モルタル用接着材を混入した水が０．５〜２、ゼオライトなどの吸着材が０〜０．５の割合とし、この基本成分の他に顔料を０〜１、植物活性材を０〜２、空気連行剤を１〜２の割合で持って、これら何れかの成分を混練したことを特徴とするモルタル層を有すコンクリート構造物。
【請求項２】
表面をモルタル層にて被覆したコンクリート構造物において、モルタル層を構成するモルタル材は型枠の内面に塗布又は吹付けて形成され、該型枠に流し込んだ生コンクリートに上記モルタル層を転写したものであり、上記モルタル材の基本成分はセメントが１、砂が２〜３、モルタル用接着材を混入した水が０．５〜２、ゼオライトなどの吸着材が０〜０．５の割合とし、この基本成分の他に顔料を０〜１、植物活性材を０〜２、空気連行剤を１〜２の割合でもって、これらの成分を適宜組み合わせて混練したことを特徴とするモルタル層を有すコンクリート構造物。
【考案の詳細な説明】
【技術分野】
【０００１】
本考案は型枠に生コンクリートを流し込んで成型されるコンクリートブロック表面に発生する凹部を隠すと共に、苔や藻類の繁殖をもたらすことが出来、浄化及びヒートアイランドを抑制する機能を備えた色彩性豊かなコンクリートブロックに関するものである。又、本考案はコンクリートブロックに限定せず、現場施工されるコンクリート壁やコンクリート床も対象とする。
【背景技術】
【０００２】
近年、土木工事に使用されるコンクリートブロックは多種多様化している。例えば、道路の脇に据え付けられる側溝ブロック、傾斜した斜面が崩れないようにする擁壁ブロック、又道路脇に設けられるＬ形擁壁ブロック等、色々な用途のコンクリートブロックが使用されている。これらコンクリートブロックは工場にて大量生産される規格品であり、現場へ運んで所定の場所に据え付け施工が行われる。現場で型枠を組み立ててコンクリートを流し込む施工に比較し、作業時間は大幅に短縮されると共に、一方ではコンクリートブロックの方が現場施工のコンクリート部材に比較して強度が高いといった利点がある。
【０００３】
ところで、上記コンクリートブロックを製造するに当って、型枠を組み立て、該型枠の内面に離型剤を塗布する。これは型枠を外す場合にコンクリート表面に固着しない為である。そして生コンクリートを型枠内に流し込み(打ち込み)、該生コンクリートが型枠の隅々まで行き渡るように、該型枠に振動を与える。又は棒形振動機によって生コンクリートに振動を与える場合もある。
【０００４】
そして流し込んだ生コンクリートが硬化して所定の強度に達したところで、脱型が行われ、成型されたコンクリートブロックが取出される。しかし成型されたコンクリートブロックの表面は完全に滑らかな面ではなく、所々に混在する気泡の影響で表面には窪み(凹部)が形成される。従って、この凹部にモルタルを埋め込んで補修しなくてはならない。
【０００５】
図４は生コンクリート(ロ)を型枠(イ)に流し込んだ場合であるが、生コンクリート(ロ)内には無数の気泡(ハ)、(ハ)・・が混在していて、該型枠(イ)に振動を与えることで気泡(ハ)、(ハ)…は多少減少することはあっても完全になくなることはない。型枠内面(ニ)に付着した気泡(ハ)、(ハ)…は振動を与えても取れ難い。
【０００６】
同図の(ｂ)は型枠（イ）を取外した場合であり、このようにコンクリートブロック表面に凹部（ニ）、（ニ）・・が形成されるならば、該コンクリートブロックの外観が損われてしまう。その為に、表面化した凹部（ニ）、（ニ）・・を補修する為にモルタルを埋め込む補修作業が必要となり、コンクリートブロック製造における効率の低下をもたらし、コスト高となる。
【０００７】
このように、気泡（ハ）、（ハ）・・が表面化して形成される凹部（ニ）、（ニ）・・を補修したコンクリートブロックは各々の場所に設置されるが、近年では環境保全を目的として該コンクリートブロックの表面に植物の植生機能を付与することが各種提案されている。しかし、コンクリートブロック表面に蒔いた種子を発芽させ、それを生育させることは容易でない。すなわち、雨が降らない時期が続くならば、発芽することが出来ず、仮に発芽しても枯れてしまう。そこで、ブロック内部に貯水槽を設け、該貯水槽に溜まった雨水を表面に滲み出して発芽・生育させるように工夫したブロックが知られている。
【０００８】
特開平１１−１８１７７５号に係る「植生ブロック」は、法面保護ブロックであって、植物の植生機能を備えると共に貯水槽を内蔵し、栽培土に自動給水を行うことが出来るように構成している。すなわち、上面開放の箱状をなし、ブロック内部の下部に貯水槽を備え、中段に仕切板を設けて貯水槽上を覆うと共に仕切板の上方を栽培土を充填した植生部とし、仕切板に上下貫通孔を設け、この孔に嵌合し、砂を充填した孔あき管毛細管揚水装置を貯水槽内に垂下し、ブロックの前面側に、溢水、注水、検水を兼ねた斜貫通孔を設けている。
【０００９】
従って、仕切板の上部に設けた植生部へは管毛細管揚水装置を介して貯水槽内の水を吸上げて植物を生育させることが出来る。しかし、該植生ブロックはブロック表面に植物を生育させるものではない。
【００１０】
特開平１０−１６８９１１号に係る「植栽ブロック」は、夏期などにおいても、コンクリートブロックの表面に埋設した植生基材に生育した植物へその生育に必要な量の水を供給するものであり、コンクリートから成るブロック本体の表面に、ポーラスコンクリートなどから成る植生基材を設け、ブロック本体の裏側に施工した砕石などからなる通水性埋め込み層中に集水桝を埋設している。この集水桝と植生基材とをブロック本体内に埋設した通水管により連通させる。植栽ブロックの裏側の土壌中の水が集水桝に集まり、通水管を通って植生基材へ給水され、この植生基材に植えられた植物に水が供給される。
【００１１】
この植栽ブロックは水を貯める集水桝を別に必要とし、該集水桝からコンクリートブロック本体の植生基材へ水を導く為の通水管を設けなくてはならず、その構造は複雑化すると共に、施工コストは高くなる。
【特許文献１】特開平１１−１８１７７５号に係る「植生ブロック」
【特許文献２】特開平１０−１６８９１１号に係る「植栽ブロック」
【考案の開示】
【考案が解決しようとする課題】
【００１２】
このように、従来のコンクリートブロックには上記のごとき問題がある。本考案が解決しようとする課題はこれら問題点であり、打設して成型したコンクリートブロックの表面に凹部を発生することなく、またブロック表面に苔や藻類の繁殖を可能とするコンクリートブロックを提供する。そして、コンクリートブロックのみならず、現場で施工して造成されるコンクリート壁やコンクリート床も対象とする。
【課題を解決するための手段】
【００１３】
本考案のコンクリートブロックは、モルタル層がコンクリートブロック表面を被覆して形成したものである。該モルタル層を構成する基本モルタル材はセメントが１、砂が２〜３、水が０．５〜２、吸着材が０〜０，５の割合で混合している。本考案では、この基本モルタル材を出来上がったコンクリートブロック表面に吹付けるのではなく、型枠内面に吹付け又は塗布してモルタル層を作り、この型枠に生コンクリートを打設する。そして、打設したコンクリートが固まったところで型枠を解体してコンクリートブロックを取出す。この場合、上記モルタル層はコンクリートブロックの表面に転写される。
【００１４】
この際、モルタル層がコンクリートに転写し易いように接着剤が吹付けられる。そして、型枠は組み立てた状態でモルタル材を吹付けることも出来るが、型枠を構成する型版の内面にモルタル材を吹付けた状態で組み立てることも可能である。ところで、本考案では上記基本モルタル材の他に次のような添加材を混合している。
(１)顔料
転写するモルタル層を着色する為に顔料を０〜１の割合で混合することが出来、環境に適したカラフルなコンクリートブロックとなる。
(２)植物活性材
植物活性材とは、苔や藻類がコンクリートブロック表面に繁殖できるようにする添加材であり、その混合割合は０〜２である。
(３)空気連行剤
空気連行剤とは、モルタル層内部に微細な空隙を形成することが出来る多孔質モルタル層を作る為であり、１〜２の割合で混合する。
【００１５】
ところで、上記(１)、(２)、(３)の添加材は上記の基本モルタル材にそれぞれ単独で混合することが出来る場合に限らず、(１)、(２)、(３)を自由に組み合わせた添加材として混合することも可能である。
そして、現場で施工されるコンクリート壁やコンクリート床などの一般的なコンクリート構造物を造成する場合も、上記コンクリートブロックを成型する場合と同じように構成することが出来る。
【考案の効果】
【００１６】
本考案のコンクリートブロックなどのコンクリート構造物は、表面にモルタル層を有しているが、成型したコンクリート構造物の表面にモルタルを塗布したり、吹付けるのではなく、成型される型枠にモルタル材を吹付けて作ったモルタル層を型枠に打設したコンクリートに転写される。従って、成型されたコンクリート構造物の表面には気泡による凹部が形成されることはなく、成型後の凹部の補修を行う必要はなくなり、生産性は大きく向上する。そして、成型されるコンクリートブロックなどのコンクリート構造物の表面はモルタル層にて被覆された状態となり、従来のコンクリート面に比較して外観は滑らかで奇麗である。
【００１７】
このように、型枠に転写用モルタル材を吹付けたり、塗り付けることで、該転写用モルタル材と型枠内面との間に気泡が介在することはない。そして塗布されたモルタル材が乾燥状態になったところで生コンクリートを流し込むことで、モルタル材にコンクリートが固着して一体化したコンクリート構造物となる。そして、モルタル材に顔料を混合するならば、着色されたコンクリート構造物となり、環境に調和した景観と作り出すことが出来る。
【００１８】
また、植物活性材、空気連行剤を混合することで、また基本モルタル材を構成する吸着材(例えば、ゼオライト)にて、苔や藻類の繁殖が可能となり、コンクリート構造物の表面緑化を作り出すことが出来る。すなわち、環境に調和したコンクリート構造物となる。
【実施例】
【００１９】
図１は本考案に係るコンクリートブロックを成型する工程を表している。
(１)まず、型枠が準備されるが、型枠は複数枚の型版で構成され、複数枚の型版を組み立てて構成される。
(２)モルタル材の練り合せ
モルタル材はセメント１、砂２〜３、モルタル用接着剤を混入した水０．５〜２、吸着材(例えばゼオライト)０〜０．５の割合で混練される。勿論、これらの成分の他に顔料、植物活性材、又は空気連行剤が混入される。
(３)このように混練されたモルタル材は型枠を構成する型版の内面に塗布されたり吹き付けられる。塗布する際にモルタル材がはみ出さないように仕切り板を設けて行われるが、モルタル層内には気泡が出来ることはない。
(４)モルタル用接着剤の吹付け
モルタル材はコンクリートブロックに転写されるが、接着剤を吹付けることで後で剥がれることがないようにする。
(４)型枠の組み立て
内面にモルタル材を塗布したり吹き付けて形成したモルタル層が適度に固まったところで、型版を組み立てて型枠を作る。従って、型枠内面はモルタル層で形成されている。
(５)生コンクリートの打設
組み立てた型枠には生コンクリートが流し込まれる。
(６)型枠の解体
打設された生コンクリートが固まったところで型枠が解体されてコンクリートブロックが完成する。そこで、コンクリートブロック表面には型枠内面に塗布されたモルタル層が転写して表面層を形成する。従って、モルタル層で被覆されるコンクリートブロックの表面には気泡で作られる凹部は存在せず、該凹部を隠す補修を行う必要はない。
【００２０】
本考案のコンクリートブロックはその表面がモルタル層にて被覆されているが、この基本モルタル材の成分(セメント、砂、水、吸着材)の他に、顔料、植物活性材、又は空気連行剤を加えて混練することが出来る。
(１)顔料の混入
顔料を上記基本モルタル材に０〜１の割合で加えるならば、気泡に基づく凹部を隠すだけでなく、環境に適したカラフルなコンクリートブロックが出来上がる。そして、基本モルタル材を構成している吸着材(例えばゼオライト)には保水効果があり、苔や藻類の繁殖も可能となる。
(２)植物活性材
植物活性材とはコンクリートブロック表面に付着した苔や藻類に活力を与えて繁殖させる材料である。この植物活性材は０〜２の割合で混合される。
(３)空気連行剤
この空気連行剤はモルタル層に微細な空隙を形成することが出来る。従って、該空隙に水分が溜まり、苔や藻類が早期に繁殖できる。又、基本モルタル材を構成している吸着材(例えばゼオライト)には吸着効果があり浄化機能も発揮する。そして、これら空隙はコンクリートブロックに調湿及び断熱効果をもたらすことで、ヒートアイランドを抑制する効果がある。
【００２１】
一方、基本モルタル材に上記顔料、植物活性材、及び空気連行剤を単独で混練することも出来るが、これらの各添加材を適度に組み合わせて混練することも可能であり、組み合わせることでそれぞれの効果を備えたコンクリートブロックとなる。
【００２２】
図２は型枠を構成する型版であり、１は背面側型版、２は正面側型版を表している。コンクリートブロックの形状は色々あるが、それぞれのコンクリートブロックは専用の型枠にて成型されるために、該型枠を構成する型版が必要となる。背面側型版１は底版部３と背版部４、そして図示していないが両側版部を有している。
【００２３】
正面側型版２は内側面に滑らかな凹部５，５・・を形成しており、該正面側型版２は背面側型版１に組み付けられて型枠が構成される。図３は該型枠を用いてコンクリートブロックを成型する具体的な工程を表している。
(ａ)は正面側型版２の内側面にモルタル材６を吹き付けた場合であり、モルタル材６は凹部５の内面７，７・・及び各凹部５，５・・との境界面８，８・・にモルタル層１１を形成している。
【００２４】
ところで、該モルタル材６は基本モルタルに顔料、植物活性材、空気連行剤の何れかを添加したものであり、又はこれら各添加材を適度に組み合わせ混合したものが使用される。
(ｂ)はモルタル層を形成した正面側型版２を背面側型版１に組み付けした型枠に生コンクリート９を流し込んだ状態を表している。生コンクリート９はモルタル層１１と固着して一体化するが、モルタル層１１の内面１０には接着剤が吹き付けられて生コンクリート９との固着を促している。
【００２５】
(ｃ)は流し込んだ生コンクリート９が固まって型枠を解体した場合である。コンクリートブロック１２の表面にはモルタル層１１が転写され、このモルタル層１１に苔や藻類が繁殖し、一方では浄化機能を発揮し、ヒートアイランドを抑制する。そして、モルタル材に顔料を混入するならば環境に適合した色彩のコンクリートブロックとなる。
【図面の簡単な説明】
【００２６】
【図１】本考案に係るコンクリートブロックを製作する工程。
【図２】型枠を構成する背面側型版と正面側型版。
【図３】図２の型枠を用いてのコンクリートブロックの成型工程。
【図４】従来のコンクリートブロックの１製造工程。
【符号の説明】
【００２７】
１  背面側型版
２  正面側型版
３  底版部
４  背版部
５  凹部
６  モルタル材
７  内面
８  境界面
９  生コンクリート
10  内面
11  モルタル層
12  コンクリートブロック
【図１】
0003122368.tif 000003
【図２】
0003122368.tif 000004
【図３】
0003122368.tif 000005
【図４】
0003122368.tif 000006